(57)【要約】【課題】インターネット上の各種サービスにおいて、商品販売側ユーザのチャリティに対する貢献度を商品購入側ユーザに示す。【解決手段】サーバシステム１０は、ユーザ端末２０ｂから商品ページの送信要求を受信する（Ｓ４０５）と、オークションＤＢ１２より必要な情報を抽出して販売側ユーザ（出品者）のチャリティに対する貢献度を含む商品ページを生成し（Ｓ４１０，図５）、ユーザ端末２０ｂに送信する（Ｓ４１５，図６又は図７）。貢献度は、例えば寄付率，寄付金額，寄付総額，平均寄付率，寄付金額割合，チャリティ対象商品の落札数等に応じて設定するとよい。【選択図】図４
2011138418.tif 000002
【特許請求の範囲】
【請求項１】
販売者端末及び購入者端末とそれぞれ接続可能なサーバシステムであって、
寄付金額の算定根拠を含む商品情報を記憶する商品情報記憶手段を有し、
寄付金額の算定根拠を含む商品の登録情報を前記販売者端末から受信し、該商品に係る商品情報を前記商品情報記憶手段に格納する商品情報登録手段と、
商品を指定した商品ページ送信要求を前記購入者端末から受信するページ要求受信手段と、
前記指定された商品に係る商品情報を前記商品情報記憶手段より抽出し、該商品情報を基にチャリティに対する販売者の貢献度を設定し、該貢献度を含む商品ページを生成するページ生成手段と、
前記生成した商品ページを前記購入者端末に送信するページ送信手段と
を備える
ことを特徴とするサーバシステム。
【請求項２】
請求項１に記載のサーバシステムにおいて、
前記寄付金額の算定根拠は、商品価格及び寄付率であり、
前記ページ生成手段は、前記指定された商品に係る商品価格に寄付率を乗じて得られる寄付金額に応じて前記貢献度を設定する
ことを特徴とするサーバシステム。
【請求項３】
請求項２に記載のサーバシステムにおいて、
前記商品情報は、販売者のユーザＩＤと対応付けられており、
前記ページ生成手段は、前記指定された商品に係る販売者のユーザＩＤに対応付けられている商品情報を前記商品情報記憶手段より抽出し、各商品価格に各寄付率を乗じて得られる各寄付金額の総額を算出し、該寄付金額の総額に応じて前記貢献度を設定する
ことを特徴とするサーバシステム。
【請求項４】
請求項２又は３に記載のサーバシステムにおいて、
前記商品ページを介して、前記指定された商品に対する入札価格を含む入札情報を前記購入者端末から受信する入札情報受信手段と、
前記商品情報記憶手段に記憶している前記指定された商品に係る商品価格と前記受信した入札情報に係る入札価格とを比較し、該入札価格の値段がより高額であれば、該指定された商品に係る商品価格を該入札価格に変更する入札情報登録手段と
をさらに備える
ことを特徴とするサーバシステム。
【請求項５】
請求項１に記載のサーバシステムにおいて、
前記寄付金額の算定根拠は、商品価格及び寄付率であり、
前記ページ生成手段は、前記指定された商品に係る寄付率に応じて前記貢献度を設定する
ことを特徴とするサーバシステム。
【請求項６】
請求項１に記載のサーバシステムにおいて、
前記商品情報は、販売者のユーザＩＤ及びステータス情報と対応付けられており、
所定の条件に基づいて１又は複数の商品情報に対応する各ステータス情報を落札済みに対応する値に更新するステータス更新手段をさらに備え、
前記ページ生成手段は、前記指定された商品に係る販売者のユーザＩＤに対応付けられており、かつステータス情報が落札済みを示している商品情報の数を前記商品情報記憶手段において計数し、該商品情報の数に応じて前記貢献度を設定する
ことを特徴とするサーバシステム。
【請求項７】
請求項６に記載のサーバシステムにおいて、
前記商品情報は、さらに落札日時と対応付けられており、
前記ページ生成手段は、対応する落札日時が所定の期間内に含まれる商品情報の数を計数し、該商品情報の数に応じて前記貢献度を設定する
ことを特徴とするサーバシステム。
【請求項８】
販売者端末及び購入者端末とそれぞれ接続可能であって、
寄付金額の算定根拠を含む商品情報を記憶する商品情報記憶手段を有するサーバシステムが、
寄付金額の算定根拠を含む商品の登録情報を前記販売者端末から受信し、該商品に係る商品情報を前記商品情報記憶手段に格納する商品情報登録ステップと、
商品を指定した商品ページ送信要求を前記購入者端末から受信するページ要求受信ステップと、
前記指定された商品に係る商品情報を前記商品情報記憶手段より抽出し、該商品情報を基にチャリティへの貢献度を設定し、該貢献度を含む商品ページを生成するページ生成ステップと、
前記生成した商品ページを前記購入者端末に送信するページ送信ステップと
を実行する
ことを特徴とする情報提供方法。
【請求項９】
販売者端末及び購入者端末とそれぞれ接続可能であって、
寄付金額の算定根拠を含む商品情報を記憶する商品情報記憶手段を有するサーバシステムに、
寄付金額の算定根拠を含む商品の登録情報を前記販売者端末から受信し、該商品に係る商品情報を前記商品情報記憶手段に格納する商品情報登録ステップと、
商品を指定した商品ページ送信要求を前記購入者端末から受信するページ要求受信ステップと、
前記指定された商品に係る商品情報を前記商品情報記憶手段より抽出し、該商品情報を基にチャリティへの貢献度を設定し、該貢献度を含む商品ページを生成するページ生成ステップと、
前記生成した商品ページを前記購入者端末に送信するページ送信ステップと
を実行させる
ことを特徴とする情報提供プログラム。
【発明の詳細な説明】
【技術分野】
【０００１】
本発明は、オンラインでチャリティに関連するサービスを提供するためのシステムに関し、特に、Ｗｅｂページを介してユーザ端末に特定の情報を提供する処理に関するものである。
【背景技術】
【０００２】
＜先行技術１＞
インターネットオークションサイトにおいて、種々のチャリティオークションが開催されている（例えば、非特許文献１参照）。
従来のチャリティオークションでは、各団体やタレント，スポーツ選手等の著名人の協力のもと、プレミアム性の高い商品が出品されることが多い。また、当該オークションの収益金（原則として、落札金額の全額）は、所定のチャリティ団体を通じて様々な慈善事業のために寄付される。
【０００３】
なお、一般的なインターネットオークションでは、次の各段階を経て、出品者（販売側のユーザ）と落札者（購入側のユーザ）との間で出品物の売買契約が成立する。
（ａ）販売側のユーザが、商品を出品する段階
（ｂ）１又は複数のユーザが、それぞれ入札価格を示して商品に入札する段階
（ｃ）管理システムが、所定の条件に基づいて１又は複数の落札者を決定する段階
【０００４】
＜先行技術２＞
出品者が指定した団体にオークションの収益金の一部を寄付するための仕組みが知られている（例えば、特許文献１参照）。
上記の仕組みでは、例えば次のように出品者に寄付額を特定させている（同文献段落［００６３］〜［００６５］）。
（ａ）落札価格のＸ％を寄付額とする。
（ｂ）出品者が設定した希望落札価格を超えた金額を寄付額とする。
（ｃ）落札価格のうち希望落札価格を超える部分のＸ％を寄付額とする。
（ｄ）落札価格が希望落札価格より低い場合は落札価格のＸ％、高い場合は落札価格のＹ％を寄付額とする。
【先行技術文献】
【特許文献】
【０００５】
【特許文献１】特開２００２−１２３７０４号公報
【非特許文献】
【０００６】
【非特許文献１】楽天オークション株式会社、「チャリティオークション」、[online]、インターネット<URL: http://auction.rakuten.co.jp/event/charity/>
【発明の概要】
【発明が解決しようとする課題】
【０００７】
本発明が解決しようとする課題は、インターネット上の各種サービスにおいて、商品販売側ユーザのチャリティに対する貢献度を商品購入側ユーザに示す、という点である。
【課題を解決するための手段】
【０００８】
上記課題を解決するため、本発明は、販売者端末及び購入者端末とそれぞれ接続可能なサーバシステムであって、寄付金額の算定根拠を含む商品情報を記憶する商品情報記憶手段を有し、寄付金額の算定根拠を含む商品の登録情報を前記販売者端末から受信し、該商品に係る商品情報を前記商品情報記憶手段に格納する商品情報登録手段と、商品を指定した商品ページ送信要求を前記購入者端末から受信するページ要求受信手段と、前記指定された商品に係る商品情報を前記商品情報記憶手段より抽出し、該商品情報を基にチャリティに対する販売者の貢献度を設定し、該貢献度を含む商品ページを生成するページ生成手段と、前記生成した商品ページを前記購入者端末に送信するページ送信手段とを備えることを特徴とする。
【０００９】
前記寄付金額の算定根拠は、商品価格及び寄付率であり、前記ページ生成手段は、前記指定された商品に係る商品価格に寄付率を乗じて得られる寄付金額に応じて前記貢献度を設定してもよい。
前記商品情報は、販売者のユーザＩＤと対応付けられており、前記ページ生成手段は、前記指定された商品に係る販売者のユーザＩＤに対応付けられている商品情報を前記商品情報記憶手段より抽出し、各商品価格に各寄付率を乗じて得られる各寄付金額の総額を算出し、該寄付金額の総額に応じて前記貢献度を設定してもよい。
【００１０】
前記商品ページを介して、前記指定された商品に対する入札価格を含む入札情報を前記購入者端末から受信する入札情報受信手段と、前記商品情報記憶手段に記憶している前記指定された商品に係る商品価格と前記受信した入札情報に係る入札価格とを比較し、該入札価格の値段がより高額であれば、該指定された商品に係る商品価格を該入札価格に変更する入札情報登録手段とをさらに備えていてもよい。
【００１１】
前記寄付金額の算定根拠は、商品価格及び寄付率であり、前記ページ生成手段は、前記指定された商品に係る寄付率に応じて前記貢献度を設定してもよい。
前記商品情報は、販売者のユーザＩＤ及びステータス情報と対応付けられており、所定の条件に基づいて１又は複数の商品情報に対応する各ステータス情報を落札済みに対応する値に更新するステータス更新手段をさらに備え、前記ページ生成手段は、前記指定された商品に係る販売者のユーザＩＤに対応付けられており、かつステータス情報が落札済みを示している商品情報の数を前記商品情報記憶手段において計数し、該商品情報の数に応じて前記貢献度を設定してもよい。
前記商品情報は、さらに落札日時と対応付けられており、前記ページ生成手段は、対応する落札日時が所定の期間内に含まれる商品情報の数を計数し、該商品情報の数に応じて前記貢献度を設定してもよい。
【００１２】
また、上記課題を解決するため、本発明の情報提供方法は、販売者端末及び購入者端末とそれぞれ接続可能であって、寄付金額の算定根拠を含む商品情報を記憶する商品情報記憶手段を有するサーバシステムが、寄付金額の算定根拠を含む商品の登録情報を前記販売者端末から受信し、該商品に係る商品情報を前記商品情報記憶手段に格納する商品情報登録ステップと、商品を指定した商品ページ送信要求を前記購入者端末から受信するページ要求受信ステップと、前記指定された商品に係る商品情報を前記商品情報記憶手段より抽出し、該商品情報を基にチャリティへの貢献度を設定し、該貢献度を含む商品ページを生成するページ生成ステップと、前記生成した商品ページを前記購入者端末に送信するページ送信ステップとを実行することを特徴とする。
【００１３】
また、上記課題を解決するため、本発明の情報提供プログラムは、販売者端末及び購入者端末とそれぞれ接続可能であって、寄付金額の算定根拠を含む商品情報を記憶する商品情報記憶手段を有するサーバシステムに、寄付金額の算定根拠を含む商品の登録情報を前記販売者端末から受信し、該商品に係る商品情報を前記商品情報記憶手段に格納する商品情報登録ステップと、商品を指定した商品ページ送信要求を前記購入者端末から受信するページ要求受信ステップと、前記指定された商品に係る商品情報を前記商品情報記憶手段より抽出し、該商品情報を基にチャリティへの貢献度を設定し、該貢献度を含む商品ページを生成するページ生成ステップと、前記生成した商品ページを前記購入者端末に送信するページ送信ステップとを実行させることを特徴とする。
【発明の効果】
【００１４】
本発明のサーバシステムは、商品を指定した商品ページ送信要求を購入者端末から受信すると、指定された商品に係る商品情報を商品情報記憶手段より抽出し、当該商品情報を基にチャリティに対する販売者の貢献度を設定し、当該貢献度を含む商品ページを生成し、これを購入者端末に送信する。
貢献度は、例えば寄付金額，寄付総額，寄付率，チャリティ対象商品の落札数等に応じて設定するとよい。
よって、本発明によれば、電子商取引，インターネットオークション等のサービスを利用して商品を購入しようとしているユーザに対し、当該商品を販売しようとしているユーザのチャリティに対する貢献度情報を提供することができる。
【００１５】
なお、上記の貢献度情報は、購入動機となり得るという点で、商品購入側ユーザにとって商品選択上の有力な指標となる。また、上記の貢献度情報は、信頼・信用の獲得という面で、商品販売側ユーザにとって有力な販促ツールとなる。
したがって、商品を購入しようとしているユーザに対し、当該商品を販売しようとしているユーザのチャリティに対する貢献度情報を提供することにより、電子商取引，インターネットオークション等のサービスの利用が拡大する効果が期待できる。
【図面の簡単な説明】
【００１６】
【図１】システム構成を示すブロック図である。（実施形態）
【図２】データベースのデータ項目の説明図である。（実施形態）
【図３】出品登録処理の手順を示すフロー図である。（実施形態）
【図４】入札登録処理の手順を示すフロー図である。（実施形態）
【図５】貢献度の設定例である。（実施形態）
【図６】商品ページの表示例である。（実施形態）
【図７】商品ページの表示例である。（実施形態）
【図８】システム構成を示すブロック図である。（変形例２）
【図９】データベースのデータ項目の説明図である。（変形例２）
【図１０】貢献度の設定例である。（変形例２）
【発明を実施するための形態】
【００１７】
＜実施形態＞
［１．実施形態の概要］
本実施形態のシステムは、インターネットオークションを管理するサービス（「オークションサービス」）を提供するシステムである。以下の説明では、オークションの出品物（本実施形態において「商品」という。）の出品者（販売側ユーザ）と落札者（購入側ユーザ）との間で売買取引が行われる場合を想定している。
【００１８】
本実施形態のシステムは、特に、商品を個別に紹介するページ（本実施形態において「商品ページ」という。）に、当該商品の販売者のチャリティに対する「貢献度」を表示させる点に特徴を有する。
その他、特に明示した点を除き、システム構成，データ処理等は従来例（上記＜先行技術１＞）と同様である。
【００１９】
［２．システム構成］
図１に、本実施形態のシステムの構成を示す。
図１に示すように、本実施形態のシステムは、全体として、サーバシステム１０，ユーザ端末２０ａ（販売側ユーザの端末（販売者端末））及びユーザ端末２０ｂ（購入側ユーザの端末（購入者端末））により構成される。サーバシステム１０と、ユーザ端末２０ａ及びユーザ端末２０ｂとは、それぞれ通信ネットワーク（本実施形態では、インターネット３０）を介して接続可能である。
サーバシステム１０は、ユーザＤＢ１１及びオークションＤＢ１２を有している。
【００２０】
［２−１．サーバシステム］
図１において、サーバシステム１０は、オークションサービスを提供するサーバ群である。
サーバシステム１０は、例えば、Ｗｅｂページの生成・送信機能を有するＷｅｂサーバ，電子メールの生成・送信機能を有するメールサーバ，データベースを管理するＤＢサーバ，バッチ処理を実行するバッチ処理サーバその他の必要なサーバ装置を含んでいる。
【００２１】
［２−２．ユーザＤＢ］
図１において、ユーザＤＢ１１は、オークションサービスにおけるユーザの情報を記憶しているデータベースである。
図２（ａ）に、ユーザ情報の主要な項目を示す。
図２（ａ）に示すように、１件のユーザ情報は、「ユーザＩＤ」，「パスワード」，「メールアドレス」及び「ニックネーム」を含んでいる。
【００２２】
［２−３．オークションＤＢ］
図１において、オークションＤＢ１２は、オークションサービスに関連する情報を記憶するデータベースである。
本実施形態では、商品基本情報，出品情報，商品価格情報及び入札情報を、それぞれ複数件ずつ記憶可能であるものとする。
【００２３】
図２（ｂ）に、商品基本情報の主要な項目を示す。
図２（ｂ）に示すように、１件の商品基本情報は、「商品ＩＤ」，「商品名」，「商品ジャンル」，「商品説明文」，「商品画像ＵＲＬ」及び「商品ページＵＲＬ」を含んでいる。
【００２４】
図２（ｃ）に、出品情報の主要な項目を示す。
図２（ｃ）に示すように、１件の出品情報は、「出品ＩＤ」，「商品ＩＤ」，販売側ユーザ（出品者）の「ユーザＩＤ」，オークションの「開始時期」，オークションの「終了時期」，落札候補の「入札ＩＤ」，「ステータス」及び「落札日時」を含んでいる。
ここで、落札候補の「入札ＩＤ」は、その出品に係る商品に最高額の「入札価格」を付けている入札情報（後述）の「入札ＩＤ」である。オークションがそのまま終了すれば、当該「入札ＩＤ」に係るユーザが「落札者」となる。
【００２５】
また、「ステータス」は、オークションの進捗を示す情報である。本実施形態では、少なくとも「開始前」（初期値），「開催中」，「落札済み」，「落札なしで終了」等に区分されるものとする。
サーバシステム１０は、所定のバッチ処理により、オークションの「開始時期」に「ステータス」を「開始前」から「開催中」に更新し、オークションの「終了時期」に状況に応じて「ステータス」を「開催中」から「落札済み」又は「落札なしで終了」に更新する。
【００２６】
図２（ｄ）に、商品価格情報の主要な項目を示す。
図２（ｄ）に示すように、１件の商品価格情報は、「出品ＩＤ」，「当初価格」，「寄付率」，「即落価格」及び「現在価格」を含んでいる。
ここで、「当初価格」は、オークション開始時点における対象商品の価格である。「寄付率」は、落札金額のうち寄付金とする金額の割合を示す数値である。「即落価格」は、即時に落札させる最低限の入札価格である。「現在価格」は、１又は複数の入札価格のうちの最高額（初期値は「当初価格」）であり、入札があるごとに必要に応じて更新される。なお、「当初価格」，「寄付率」及び「即落価格」は、いずれも出品者（販売側ユーザ）が設定するものとする。
【００２７】
図２（ｅ）に、入札情報の主要な項目を示す。
図２（ｅ）に示すように、１件の入札情報は、「入札ＩＤ」，「出品ＩＤ」，購入側ユーザ（入札者）の「ユーザＩＤ」及び「入札価格」を含んでいる。
【００２８】
［２−４．ユーザ端末］
図１において、ユーザ端末２０ａ及びユーザ端末２０ｂは、オークションサービスのユーザが使用する端末である。
ユーザ端末２０ａ及びユーザ端末２０ｂは、Ｗｅｂブラウザを有しており、サーバシステム１０から受信したＷｅｂページを読み込み、ディスプレイに表示することができる。また、ユーザ端末２０ａ及びユーザ端末２０ｂは、メーラを有しており、サーバシステム１０から受信した電子メールを読み込み、ディスプレイに表示することができる。
ユーザ端末２０ａ及びユーザ端末２０ｂは、通信機能を有する既存の情報処理端末（例えば、パソコン等の電子計算機等）でよい。
【００２９】
［３．出品登録処理］
図３に、サーバシステム１０による出品登録処理の手順を示す。
前提として、商品の販売側ユーザ（出品者）は、ユーザ端末２０ａを操作して，「ユーザＩＤ」及び「パスワード」を基にオークションサービスにログインしているものとする。また、所定のＷｅｂページに出品登録情報を既に入力しているものとする。
【００３０】
〔１１〕ユーザ端末２０ａから出品登録情報を受信する（Ｓ３０５）。出品登録情報には、寄付金額の算定根拠（本実施形態では、商品の「当初価格」及び「寄付率」）が含まれる。
〔１２〕オークションＤＢ１２に商品情報（商品基本情報及び商品価格情報）及び出品情報を格納する（Ｓ３１０，図２（ｂ）（ｃ）（ｄ））。本実施形態では、特に、商品の「当初価格」とともに「寄付率」を格納する（上記＜先行技術２＞参照）。
〔１３〕出品登録の完了をユーザ端末２０ａに通知する（Ｓ３１５）。例えば、出品登録が完了した旨等を記載したＷｅｂページを返すとともに、販売側ユーザ（出品者）のメールアドレス宛に同内容を記載した電子メールを送信する。
【００３１】
［４．入札登録処理］
［４−１．手順］
図４に、サーバシステム１０による入札登録処理の手順を示す。
〔２１〕ユーザ端末２０ｂから商品ページの送信要求を受信する（Ｓ４０５）と、オークションＤＢ１２より必要な情報を抽出して販売側ユーザ（出品者）のチャリティに対する貢献度を含む商品ページを生成し（Ｓ４１０，図５）、ユーザ端末２０ｂに送信する（Ｓ４１５，図６又は図７）。貢献度は、例えば寄付率，寄付金額，寄付総額，平均寄付率，寄付金額割合，チャリティ対象商品の落札数等に応じて設定するとよい。
【００３２】
〔２２〕ユーザ端末２０ｂから入札の登録情報を受信する（Ｓ４２０）と、オークションＤＢ１２に入札情報を格納し（Ｓ４２５）、入札登録の完了をユーザ端末２０ｂに通知する（Ｓ４３０）。上記登録情報には購入側ユーザ（入札者）が設定した入札価格が含まれるものとし、当該入札価格が「現在価格」（図２（ｄ））より高額であれば、「現在価格」を入札価格に更新する。また、入札登録が完了した旨等を記載したＷｅｂページを返すとともに、購入側ユーザ（入札者）のメールアドレス宛に同内容を記載した電子メールを送信する。
【００３３】
〔２３〕判定式「入札価格≧即落価格」の真偽を判定する（Ｓ４３５）。判定式が真のとき（Ｓ４３５でＹｅｓ）、オークションＤＢ１２（出品情報）の「ステータス」を「開催中」から「落札済み」に更新する（Ｓ４４０）。これにより、当該商品に係るオークションが即時に終了し、その購入側ユーザ（入札者）が直ちに落札者になる。一方、判定式が偽のとき（Ｓ４３５でＮｏ）、何もしない。
【００３４】
［４−２．貢献度について］
上記手順〔２１〕において、サーバシステム１０は、オークションＤＢ１２より必要な情報（例えば、出品情報（図２（ｃ））の必要項目，商品価格情報（図２（ｄ））の必要項目）を抽出し、販売側ユーザ（出品者）の貢献度を算定し、当該貢献度を所定の形式で商品ページに配置する。
例えば、次のような形式で貢献度を表示するとよい。
・数値そのものを、他のテキストとともに表示する
・数値の区分を、当該区分に対応する記号・アイコン等に置換して表示する。
・数値の区分を、特定の記号・アイコンの数で表す。
【００３５】
図５に、貢献度の設定例を示す。ここでは、販売側ユーザ（出品者）をユーザＡ、対象の商品を商品ａと表すものとする。
・図５（ａ）…商品ａに係る「寄付率」をユーザＡの貢献度とする。商品ａに係る「寄付率」は、オークションＤＢ１２の商品価格情報（図２（ｄ））に記憶している値そのものである。
・図５（ｂ）…商品ａに係る「寄付金額」をユーザＡの貢献度とする。商品ａに係る「寄付金額」は、オークションＤＢ１２の商品価格情報（図２（ｄ））に記憶している「現在価格」に「寄付率」を乗じて得られる積である。
【００３６】
・図５（ｃ）…ユーザＡの寄付総額をユーザＡの貢献度とする。例えば、販売側ユーザ（出品者）の「ユーザＩＤ」がユーザＡであり、かつ「ステータス」が落札済みを示す出品情報をオークションＤＢ１２より抽出し、商品ｉ（ｉ＝１〜ｎ，ｎは抽出された出品情報の数）に係る寄付金額を合計すればユーザＡの寄付総額が求められる。
・図５（ｄ）…ユーザＡの平均寄付率をユーザＡの貢献度とする。例えば、販売側ユーザ（出品者）の「ユーザＩＤ」がユーザＡであり、かつ「ステータス」が落札済みを示す出品情報をオークションＤＢ１２より抽出し、商品ｉ（ｉ＝１〜ｎ，ｎは抽出された出品情報の数）に係る落札金額を合計すれば、ユーザＡに係る落札総額が求まる。ユーザＡの平均寄付率は、ユーザＡの寄付総額（図５（ｃ））をユーザＡに係る落札総額で除して得られる商である。
【００３７】
・図５（ｅ）…ユーザＡの寄付金額割合をユーザＡの貢献度とする。ユーザＡの寄付金額割合は、ユーザＡの寄付総額（図５（ｃ））を全ユーザの寄付総額で除して得られる商である。
・図５（ｆ）…ユーザＡに係るチャリティ対象商品の落札数を貢献度とする。例えば、販売側ユーザ（出品者）の「ユーザＩＤ」がユーザＡであり、かつ「ステータス」が落札済みを示す出品情報の数（レコード数）をオークションＤＢ１２において計数すれば、ユーザＡに係るチャリティ対象商品の落札数が求まる。
【００３８】
なお、ユーザＡの寄付総額（図５（ｃ）），ユーザＡの平均寄付率（図５（ｄ）），ユーザＡの寄付金額割合（図５（ｅ）），ユーザＡに係るチャリティ対象商品の落札数（図５（ｆ））は、所定の期間内（例えば、直近の３か月間，直近の半年間，直近の１年間等）において算定・集計してもよい。
また、図５に示した貢献度の算定式は一例である。他の算定式を用いて貢献度を算定してもよい。
【００３９】
［４−３．商品ページについて］
［（ａ）表示例］
図６及び図７に、商品ページの表示例を示す。
図６及び図７の商品ページ（６００，７００）は、特定の商品（ここでは、商品ａ）を個別に紹介するページである。購入側ユーザは、ユーザ端末２０ｂを操作し、当該商品ページを介して当該商品ａに対する入札を行うことが可能である。
【００４０】
（図６）
落札金額の一部がチャリティ団体に寄付される旨が記載されている（６１０）。また、出品者（ユーザＡ）の貢献度が所定の記号（ここでは、リボン）の数で表示されている（６２０）。
購入側ユーザは、ユーザ端末２０ｂを操作し、当該商品ページの入力欄（６３１）に現在価格以上の入札価格を入力し、「入札する」と表示されているボタン（６３２）をクリックすることで、所定の入札手続（図４のＳ４２０〜）に進むことができる。
【００４１】
（図７）
落札金額の一部がチャリティ団体に寄付される旨が記載されている（７１０）。また、出品者（ユーザＡ）の貢献度が数値及びこれを補足説明するテキストとともに表示されている（７２０）。
購入側ユーザは、ユーザ端末２０ｂを操作し、当該商品ページの入力欄（７３１）に現在価格以上の入札価格を入力し、「入札する」と表示されているボタン（７３２）をクリックすることで、所定の入札手続（図４のＳ４２０〜）に進むことができる。
【００４２】
［（ｂ）効果］
図６及び図７の表示例からも見て取れるように、本実施形態のシステムでは、オークションサービスを利用して商品を購入しようとしているユーザに対し、当該商品を販売しようとしているユーザのチャリティに対する貢献度情報を提供する。これにより、例えば次の効果が得られる。
・貢献度情報は、購入動機となり得るという点で、商品購入側ユーザにとって商品選択上の有力な指標となる。
・貢献度情報は、信頼・信用の獲得という面で、商品販売側ユーザにとって有力な販促ツールとなる。
・商品を購入しようとしているユーザに対し、当該商品を販売しようとしているユーザのチャリティに対する貢献度情報を提供することにより、オークションサービスの利用が拡大する効果が期待できる。
【００４３】
［５．変形例］
［（変形例１）チャリティに対する貢献度を集計する］
上述の実施形態では、商品販売側ユーザ（出品者）のチャリティに対する貢献度を、当該商品に係る商品ページに個別に表示させている。
これに対し、各商品販売側ユーザのチャリティに対する貢献度を集計し、所定のＷｅｂページ（例えば、一定期間ごとに集計したランキングページ，チャリティ参加者の一覧ページ）に表示させてもよい。
【００４４】
［（変形例２）仮想商店街サービスで実施する］
上述の実施形態は、本発明をインターネットオークションサービスにおいて実施する場合の例である。
これに対し、本発明を仮想商店街（オンラインショッピングモール）サービスで実施してもよい。
【００４５】
［（ａ）システム構成］
図８に、変形例２のシステムの構成を示す。
図８に示すように、変形例２のシステムは、全体として、サーバシステム１０，ユーザ端末２０ａ（販売側ユーザの端末（販売者端末））及びユーザ端末２０ｂ（購入側ユーザの端末（購入者端末））により構成される。サーバシステム１０と、ユーザ端末２０ａ及びユーザ端末２０ｂとは、それぞれ通信ネットワーク（変形例２では、インターネット３０）を介して接続可能である。
サーバシステム１０は、ユーザＤＢ１１，商品ＤＢ１３及び注文ＤＢ１４を有している。
なお、図８において図１と同一の符号が付されている要素は、同様の要素であり同様の機能を有するものとする。
【００４６】
［（ｂ）商品ＤＢ］
図８において、商品ＤＢ１３は、仮想商店街サービスにおける商品の情報を記憶しているデータベースである。
図９（ｂ）に、商品情報の主要な項目を示す。
図９（ｂ）に示すように、１件の商品情報は、「商品ＩＤ」，「商品名」，「商品ジャンル」，「商品説明文」，「商品画像ＵＲＬ」，「商品ページＵＲＬ」，販売側ユーザの「ユーザＩＤ」，「商品価格」及び「寄付率」を含んでいる。
なお、「商品価格」及び「寄付率」は、いずれも商品登録処理（出品登録処理（図３）に準ずる）において販売側ユーザが設定するものとする。
【００４７】
［（ｃ）注文ＤＢ］
図８において、注文ＤＢ１４は、仮想商店街サービスにおける注文の情報を記憶するデータベースである。
図９（ｃ）に、注文情報の主要な項目を示す。
図９（ｃ）に示すように、１件の注文情報は、「注文ＩＤ」，「商品ＩＤ」及び購入側ユーザの「ユーザＩＤ」を含んでいる。
【００４８】
［（ｄ）注文受付処理］
サーバシステム１０は、次の手順によりユーザ端末２０ｂから注文を受け付ける。
〔３１〕ユーザ端末２０ｂから商品ページの送信要求を受信すると、商品ＤＢ１３及び注文ＤＢ１４より必要な情報を抽出して販売側ユーザのチャリティに対する貢献度を含む商品ページを生成し、ユーザ端末２０ｂに送信する（上記手順〔２１〕（図４のＳ４０５〜Ｄ４１５）と同様）。貢献度は、例えば寄付率，寄付金額，寄付総額，平均寄付率，寄付金額割合，チャリティ対象商品の落札数等に応じて設定するとよい。
〔３２〕ユーザ端末２０ｂから注文の登録情報を受信すると、注文ＤＢ１４に注文情報を格納し、注文受付の完了をユーザ端末２０ｂに通知する（上記手順〔２２〕（図４のＳ４２０〜Ｄ４３０）に準ずる）。例えば、注文受付が完了した旨等を記載したＷｅｂページを返すとともに、購入側ユーザのメールアドレス宛に同内容を記載した電子メールを送信する。
【００４９】
［（ｅ）貢献度］
上記手順〔３１〕において、サーバシステム１０は、商品ＤＢ１３及び注文ＤＢ１４より必要な情報（例えば、商品情報（図９（ｂ））の必要項目，注文情報（図９（ｃ））の必要項目）を抽出し、販売側ユーザの貢献度を算定し、当該貢献度を所定の形式で商品ページに配置する。
例えば、次のような形式で貢献度を表示するとよい。
・数値そのものを、他のテキストとともに表示する
・数値の区分を、当該区分に対応する記号・アイコン等に置換して表示する。
・数値の区分を、特定の記号・アイコンの数で表す。
【００５０】
図１０に、貢献度の設定例を示す。ここでは、販売側ユーザをユーザＢ、対象の商品を商品ｂと表すものとする。
・図１０（ａ）…商品ｂに係る「寄付率」をユーザＢの貢献度とする。商品ｂに係る「寄付率」は、商品ＤＢ１３の商品情報（図９（ｂ））に記憶している値そのものである。
・図１０（ｂ）…商品ｂに係る「寄付金額」をユーザＢの貢献度とする。商品ｂに係る「寄付金額」は、商品ＤＢ１３の商品情報（図９（ｂ））に記憶している「商品価格」に「寄付率」を乗じて得られる積である。
【００５１】
・図１０（ｃ）…ユーザＢの寄付総額をユーザＢの貢献度とする。例えば、販売側ユーザの「ユーザＩＤ」がユーザＢであり、かつ対応する注文情報が注文ＤＢ１４に記憶されている商品情報を商品ＤＢ１３より抽出し、商品ｉ（ｉ＝１〜ｎ，ｎは抽出された商品情報の数）に係る寄付金額を合計すればユーザＢの寄付総額が求められる。
・図１０（ｄ）…ユーザＢの平均寄付率をユーザＢの貢献度とする。例えば、販売側ユーザの「ユーザＩＤ」がユーザＢであり、かつ対応する注文情報が注文ＤＢ１４に記憶されている商品情報を商品ＤＢ１３より抽出し、商品ｉ（ｉ＝１〜ｎ，ｎは抽出された商品情報の数）に係る商品価格を合計すれば、ユーザＢに係る注文総額が求まる。ユーザＢの平均寄付率は、ユーザＢの寄付総額（図１０（ｃ））をユーザＢに係る注文総額で除して得られる商である。
【００５２】
・図１０（ｅ）…ユーザＢの寄付金額割合をユーザＢの貢献度とする。ユーザＢの寄付金額割合は、ユーザＢの寄付総額（図１０（ｃ））を全ユーザの寄付総額で除して得られる商である。
・図１０（ｆ）…ユーザＢに係るチャリティ対象商品の注文数を貢献度とする。例えば、ユーザＢに係る注文情報の数（レコード数）を注文ＤＢ１４において計数すれば、ユーザＢに係るチャリティ対象商品の注文数が求まる。
【００５３】
なお、ユーザＢの寄付総額（図１０（ｃ）），ユーザＢの平均寄付率（図１０（ｄ）），ユーザＢの寄付金額割合（図１０（ｅ）），ユーザＢに係るチャリティ対象商品の注文数（図１０（ｆ））は、所定の期間内（例えば、直近の３か月間，直近の半年間，直近の１年間等）において算定・集計してもよい。
また、図１０に示した貢献度の算定式は一例である。他の算定式を用いて貢献度を算定してもよい。
【００５４】
［（ｆ）効果］
変形例２のシステムでは、仮想商店街サービスを利用して商品を購入しようとしているユーザに対し、当該商品を販売しようとしているユーザのチャリティに対する貢献度情報を提供する。これにより、例えば次の効果が得られる。
・貢献度情報は、購入動機となり得るという点で、商品購入側ユーザにとって商品選択上の有力な指標となる。
・貢献度情報は、信頼・信用の獲得という面で、商品販売側ユーザにとって有力な販促ツールとなる。
・商品を購入しようとしているユーザに対し、当該商品を販売しようとしているユーザのチャリティに対する貢献度情報を提供することにより、仮想商店街サービスの利用が拡大する効果が期待できる。
【符号の説明】
【００５５】
１０      サーバシステム
１１      ユーザＤＢ
１２      オークションＤＢ
１３      商品ＤＢ
１４      注文ＤＢ
２０ａ    ユーザ端末（販売側ユーザ）
２０ｂ    ユーザ端末（購入側ユーザ）
３０      インターネット
【図１】
2011138418.tif 000003
【図２】
2011138418.tif 000004
【図３】
2011138418.tif 000005
【図４】
2011138418.tif 000006
【図５】
2011138418.tif 000007
【図８】
2011138418.tif 000008
【図９】
2011138418.tif 000009
【図１０】
2011138418.tif 000010
【図６】
2011138418.tif 000011
【図７】
2011138418.tif 000012
【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
販売者端末及び購入者端末とそれぞれ接続可能なサーバシステムであって、
寄付金額の算定根拠を含む商品情報を記憶する商品情報記憶手段を有し、
寄付金額の算定根拠を含む商品の登録情報を前記販売者端末から受信し、該商品に係る商品情報を前記商品情報記憶手段に格納する商品情報登録手段と、
商品を指定した商品ページ送信要求を前記購入者端末から受信するページ要求受信手段と、
前記指定された商品に係る商品情報を前記商品情報記憶手段より抽出し、該商品情報を基にチャリティに対する販売者の貢献度を設定し、該貢献度を含む商品ページを生成するページ生成手段と、
前記生成した商品ページを前記購入者端末に送信するページ送信手段と
を備える
ことを特徴とするサーバシステム。
【請求項２】
請求項１に記載のサーバシステムにおいて、
前記寄付金額の算定根拠は、商品価格及び寄付率であり、
前記ページ生成手段は、前記指定された商品に係る商品価格に寄付率を乗じて得られる寄付金額に応じて前記貢献度を設定する
ことを特徴とするサーバシステム。
【請求項３】
請求項２に記載のサーバシステムにおいて、
前記商品情報は、販売者のユーザＩＤと対応付けられており、
前記ページ生成手段は、前記指定された商品に係る販売者のユーザＩＤに対応付けられている商品情報を前記商品情報記憶手段より抽出し、各商品価格に各寄付率を乗じて得られる各寄付金額の総額を算出し、該寄付金額の総額に応じて前記貢献度を設定する
ことを特徴とするサーバシステム。
【請求項４】
請求項２又は３に記載のサーバシステムにおいて、
前記商品ページを介して、前記指定された商品に対する入札価格を含む入札情報を前記購入者端末から受信する入札情報受信手段と、
前記商品情報記憶手段に記憶している前記指定された商品に係る商品価格と前記受信した入札情報に係る入札価格とを比較し、該入札価格の値段がより高額であれば、該指定された商品に係る商品価格を該入札価格に変更する入札情報登録手段と
をさらに備える
ことを特徴とするサーバシステム。
【請求項５】
請求項１に記載のサーバシステムにおいて、
前記寄付金額の算定根拠は、商品価格及び寄付率であり、
前記ページ生成手段は、前記指定された商品に係る寄付率に応じて前記貢献度を設定する
ことを特徴とするサーバシステム。
【請求項６】
請求項１に記載のサーバシステムにおいて、
前記商品ページを介して、前記指定された商品に対する入札価格を含む入札情報を前記購入者端末から受信する入札情報受信手段と、
前記商品情報記憶手段に記憶している前記指定された商品に係る商品価格と前記受信した入札情報に係る入札価格とを比較し、該入札価格の値段がより高額であれば、該指定された商品に係る商品価格を該入札価格に変更する入札情報登録手段と、
ステータス情報を更新するステータス更新手段と
を更に備え、
前記商品情報は、販売者のユーザＩＤ及び前記ステータス情報と対応付けられており、
前記ステータス更新手段は、所定の条件に基づいて１又は複数の商品情報に対応する各ステータス情報を落札済みに対応する値に更新し、
前記ページ生成手段は、前記指定された商品に係る販売者のユーザＩＤに対応付けられており、かつステータス情報が落札済みを示している商品情報の数を前記商品情報記憶手段において計数し、該商品情報の数に応じて前記貢献度を設定する、
ことを特徴とするサーバシステム。
【請求項７】
請求項６に記載のサーバシステムにおいて、
前記商品情報は、さらに落札日時と対応付けられており、
前記ページ生成手段は、対応する落札日時が所定の期間内に含まれる商品情報の数を計数し、該商品情報の数に応じて前記貢献度を設定する
ことを特徴とするサーバシステム。
【請求項８】
販売者端末及び購入者端末とそれぞれ接続可能であって、
寄付金額の算定根拠を含む商品情報を記憶する商品情報記憶手段を有するサーバシステムが、
寄付金額の算定根拠を含む商品の登録情報を前記販売者端末から受信し、該商品に係る商品情報を前記商品情報記憶手段に格納する商品情報登録ステップと、
商品を指定した商品ページ送信要求を前記購入者端末から受信するページ要求受信ステップと、
前記指定された商品に係る商品情報を前記商品情報記憶手段より抽出し、該商品情報を基にチャリティへの貢献度を設定し、該貢献度を含む商品ページを生成するページ生成ステップと、
前記生成した商品ページを前記購入者端末に送信するページ送信ステップと
を実行する
ことを特徴とする情報提供方法。
【請求項９】
販売者端末及び購入者端末とそれぞれ接続可能であって、
寄付金額の算定根拠を含む商品情報を記憶する商品情報記憶手段を有するサーバシステムに、
寄付金額の算定根拠を含む商品の登録情報を前記販売者端末から受信し、該商品に係る商品情報を前記商品情報記憶手段に格納する商品情報登録ステップと、
商品を指定した商品ページ送信要求を前記購入者端末から受信するページ要求受信ステップと、
前記指定された商品に係る商品情報を前記商品情報記憶手段より抽出し、該商品情報を基にチャリティへの貢献度を設定し、該貢献度を含む商品ページを生成するページ生成ステップと、
前記生成した商品ページを前記購入者端末に送信するページ送信ステップと
を実行させる
ことを特徴とする情報提供プログラム。